(57)【要約】【課題】現場で容易にグレアカット角度を調整できる照明器具を提供する。【解決手段】器具本体２０がＬＥＤユニット３０を照射方向に往復移動可能に保持するとともに、ＬＥＤユニット３０および器具本体２０の一方にナット部材２３を取り付けて、他方にはこのナット部材２３に螺合するネジ部材３６を設けたので、ネジ部材３６をナット部材２３に対して相対的に回転させることにより、ＬＥＤユニット３０を器具本体２０に対して照射方向へ往復移動できる。これにより、現場で容易にグレアカット角度θを調整できる。【選択図】図１
2012113927.tif 000002
【特許請求の範囲】
【請求項１】
複数のＬＥＤチップを実装するＬＥＤ基板を有するＬＥＤユニットと、
前記ＬＥＤユニットを収容する器具本体と、を有し、
前記器具本体が前記ＬＥＤユニットを照射方向に往復移動可能に保持し、
前記ＬＥＤユニットおよび前記器具本体の一方にナット部材を取り付けるとともに、他方には前記ナット部材に螺合するネジ部材を前記照射方向に沿って設けた照明器具。
【請求項２】
請求項１に記載の照明器具において、
前記ＬＥＤユニットの外周面および前記器具本体の内周面の一方にガイド凸部を設けるとともに、他方に前記ガイド凸部が前記照射方向に摺動するガイド凹部を設けた照明器具。
【請求項３】
請求項１または請求項２に記載の照明器具において、
前記器具本体の内周面に、前記ＬＥＤユニットの相対的位置を示す目盛りを付した照明器具。
【発明の詳細な説明】
【技術分野】
【０００１】
本発明は、光源が上下移動可能な照明器具に関するものである。
【背景技術】
【０００２】
従来より、光源を上下移動させる照明器具が提案されている（例えば、特許文献１参照）。
図６に示すように、特許文献１に記載の照明器具１００は、例えば街路灯として使用できるものであり、円柱状の電灯取付具１０１及び中空円筒形状の支柱１０２を備える。支柱１０２の上端部には、ガラス製等による略球形状のカバー１０３が固定されており、カバー１０３の中に電灯Ｄが位置して、街路を照明するようになっている。
【０００３】
電灯Ｄは、電灯取付具１０１の円筒形の取付具本体１０１Ａの上面に取り付けられている。そして、取付具本体１０１Ａの外周上下少なくとも４箇所に、案内部１０４が設けられており、電灯Ｄが取り付けられた電灯取付具１０１は、支柱１０２の内壁に沿って上下移動可能となっている。また、支柱１０２の上部内周面の上下２箇所に、案内部１０４を係止する係止部１０５が設けられている。
なお、案内部１０４と係止部１０５とは通電可能に形成してあり、案内部１０４が係止部１０５によって係止されると、電気的に接続される。
【０００４】
電灯取付具１０１の下面には、棒状の支持具１０６が取り付けられており、支持具１０６を引き下げることにより、案内部１０４が係止部１０５から脱する。そして、支持部１０６を、支柱１０２の下部に設けられている開口１０７から引き出すようにして、電灯取付具１０１を引き下げる。
これにより、電灯Ｄを支柱１０２の下部の開口１０７に移動させることができるので、容易に電灯Ｄを交換することができる。
【先行技術文献】
【特許文献】
【０００５】
【特許文献１】特開２００８−２９３９４８号公報（第１図）
【発明の概要】
【発明が解決しようとする課題】
【０００６】
しかしながら、前述した特許文献１に記載の照明器具１００においては、電灯Ｄを引き下げた状態では通電されておらず、電灯Ｄは所定位置でのみ点灯可能となっており、電灯Ｄの交換等の補修のためのみに移動可能となっている。
このため、同一空間でも天井高さや人の動線の違いから、グレアカット角度を場所や時等の使用環境に応じて変えたい場合には、予め、使用環境や使用状態を想定し，所望のグレアカット角度を有する器具を使用しなければならず、照明器具の設置後の現場でのグレアカット角度の調整が困難であるという問題があった。
【０００７】
本発明は、従来の問題を解決するためになされたもので、現場で容易にグレアカット角度を調整できる照明器具を提供することを目的とする。
【課題を解決するための手段】
【０００８】
本発明の照明器具は、複数のＬＥＤチップを実装するＬＥＤ基板を有するＬＥＤユニットと、前記ＬＥＤユニットを収容する器具本体と、を有し、前記器具本体が前記ＬＥＤユニットを照射方向に往復移動可能に保持し、前記ＬＥＤユニットおよび前記器具本体の一方にナット部材を取り付けるとともに，他方には前記ナット部材に螺合するネジ部材を前記照射方向に沿って設けたものである。
【０００９】
また、本発明の照明器具は、前記ＬＥＤユニットの外周面および前記器具本体の内周面の一方にガイド凸部を設けるとともに、他方に前記ガイド凸部が前記照射方向に摺動するガイド凹部を設けたものである。
【００１０】
さらに、本発明の照明器具は、前記器具本体の内周面に、前記ＬＥＤユニットの相対的位置を示す目盛りを付したものである。
【発明の効果】
【００１１】
本発明は、器具本体がＬＥＤユニットを照射方向に往復移動可能に保持するとともに、ＬＥＤユニットおよび器具本体の一方にナット部材を取り付けて、他方にはこのナット部材に螺合するネジ部材を設けたので、ネジ部材をナット部材に対して相対的に回転させることにより、ＬＥＤユニットを器具本体に対して照射方向へ往復移動できる。これにより、現場で容易にグレアカット角度を調整でき、施工した状態で効果を確認しながら調整できるという効果を有する照明器具を提供できる。
【図面の簡単な説明】
【００１２】
【図１】本発明に係る実施形態の照明器具の断面図
【図２】ＬＥＤユニットを下方から見た斜視図
【図３】図２中ＩＩＩ−ＩＩＩ位置の断面図
【図４】器具本体にＬＥＤユニットを挿入した状態を示す上方から見た斜視図
【図５】ガイド凸部の変形例を示す図２相当図
【図６】従来の光源が上下移動可能な照明器具の断面図
【発明を実施するための形態】
【００１３】
以下、本発明に係る実施形態の照明器具について、図面を用いて説明する。
図１に示すように、本発明に係る実施形態の照明器具１０は、被取付部である天井面１１に設けられている取付孔１２に埋め込んで、下方を照らすダウンライトとして使用できる。
照明器具１０は、円筒形状の器具本体２０を有し、器具本体２０の下側に曲面形状の反射面を有する反射板２１が取り付けられている。反射板２１の下端にはリング状の鍔部材２２が取り付けられており、照明器具１０を天井面１１に取り付けた際に、天井面１１の下面に露出する。
【００１４】
器具本体２０の内部には、ＬＥＤユニット３０が照射方向に往復移動可能に収容されている。器具本体２０の内周面２０１の上部には、天板２２が取り付けられており、天板２２の中心には貫通孔２２１が設けられている。天板２２の上面２２２には、貫通孔２２１に対応してナット部材２３が、固定されている。
【００１５】
図２に示すように、ＬＥＤユニット３０は、円板形状のユニット本体３１を有しており、ユニット本体３１の照射方向前部（図２において下部）には、複数のＬＥＤチップ３２が実装されたＬＥＤ基板３３が取り付けられている。ＬＥＤユニット３０の外周面３０３には、照射方向（すなわち、厚さ方向）に沿って、ガイド凸部３５が少なくとも１個（図２においては、２個）設けられている。
【００１６】
また、ＬＥＤユニット３０の照射方向前面３０１の中央部には凹部３０２が設けられており、凹部３０２の中心にはＬＥＤユニット３０を照射方向に貫通する貫通孔３４が設けられている。ＬＥＤチップ３２は、ＬＥＤユニット３０の貫通孔３４を中心にして同心円上に複数個設けられている。
【００１７】
図３に示すように、凹部３０２には、貫通孔３４を貫通してナット部材２３に螺合するネジ部材３６が取り付けられており、ネジ部材３６の先端（図１において上端）には、ネジ部材３６がナット部材２３から脱落するのを防止する抜け止め３７が取り付けられている。ネジ部材３６の頭部３６１は凹部３０２に収容されており、頭部３６１をねじ回し等で回転させることにより、ＬＥＤユニット３０に対して回転する。
また、ネジ部材３６の頭部３６１は凹部３０２に収容されているので、頭部３６１による影の発生を防止することができる。
【００１８】
また、ネジ部材３６は、頭部３６１の下面（図３においては上面）にフランジ３６２を有するとともに、ＬＥＤユニット３０の後面３０４に当接するフランジ３６３を有し、一対のフランジ３６２，３６３でＬＥＤユニット３０を挟む構造のものが望ましい。
あるいは、ＬＥＤユニット３０を一対のフランジ３６２，３６３で挟んで、中心をネジ部材３６が貫通可能な部材を別個に設けても良い。
【００１９】
図４に示すように、円筒形状の器具本体２０の内周面２０１には、少なくとも１個（図４においては２個）のガイド凹部２４が、照射方向に沿って形成されている。このガイド凹部２４には、前述したＬＥＤユニット３０のガイド凸部３５が照射方向（図４では上下方向）に往復移動可能に嵌合するものであり、ガイド凹部２４は、少なくともＬＥＤユニット３０の移動範囲を含む長さで設けられている。
【００２０】
また、ガイド凹部２４には、ＬＥＤユニット３０の器具本体２０に対する相対的位置を示す目盛り２５が付されている。目盛り２５は、例えば器具本体２０の下端部からの距離を示すことができるが、距離ではなく、グレアカット角度θに関連して表示することができる。例えば、グレアカット角度θの数値や、グレアカット角度の大中小等を表示することもできる。
【００２１】
次に、グレアカット角度θの調整動作について説明する。
なお、ここでは、グレアカット角度θは、図１に示すように、発光体であるＬＥＤユニット３０の端部と、反射板２１の下端部とを結んだ線の、水平面（例えば、天井面１１）に対する角度で表示しており、この範囲には直射光は入射しない。
【００２２】
ＬＥＤユニット３０は、ＬＥＤユニット３０の中心を下方から貫通するネジ部材３６を、器具本体２０に取り付けられているナット部材２３に螺合することにより、最下位置に取り付けられる（図１において破線で示す）。このとき、ＬＥＤユニット３０のガイド凸部３５を、器具本体２０のガイド凹部２４に嵌合させる。
このときのグレアカット角度はθ１である。また、このときのＬＥＤユニット３０の器具本体２０に対する位置は、目盛りＰ１である。
【００２３】
次いで、ネジ部材３６を回転させることによりナット部材２３への螺合を深めるので、フランジ３６２で支持されているＬＥＤユニット３０は、器具本体２０に対して照射方向後方へ移動（図１において上昇）する（図１において実線で表示）。このとき、ガイド凹部２４およびガイド凸部３５の作用により、ＬＥＤユニット３０は、器具本体２０に対して回転することなく，移動する。
このときのグレアカット角度はθ２である。また、このときのＬＥＤユニット３０の器具本体２０に対する位置は、目盛りＰ２である。
そして、所望のグレアカット角度θが得られる位置までネジ部材３６を回転させて移動する。
【００２４】
以上、説明した本発明に係る実施形態の照明器具によれば、器具本体２０がＬＥＤユニット３０を照射方向に往復移動可能に保持するとともに、ＬＥＤユニット３０および器具本体２０の一方である器具本体２０にナット部材２３を取り付けて、他方であるＬＥＤユニット３０にはこのナット部材２３に螺合するネジ部材３６を設けたので、ネジ部材３６をナット部材２３に対して相対的に回転させることにより、ＬＥＤユニット３０を器具本体２０に対して照射方向へ往復移動できる。
これにより、現場で容易にグレアカット角度θを調整でき、照明器具１０を施工した状態で効果を確認しながら調整できる。
また、同じ照明器具１０でグレアカット角度θを変えることができるので、異なる配光にしたい場合でも同じ照明器具１０を用いることができる。このため、照明器具１０の選定作業が不要であるとともに、設計変更にも柔軟に対応できる。
また、同じ照明器具１０を用いることにより外観の統一性を向上できる。
【００２５】
また、ＬＥＤユニット３０の外周面３０３および器具本体２０の内周面２０１の一方であるＬＥＤユニット３０の外周面３０３にガイド凸部３５を設けるとともに、他方である器具本体２０の内周面２０１にガイド凸部３５が照射方向に摺動するガイド凹部２４を設けたので、ＬＥＤユニット３０を器具本体２０に対して照射方向へ往復移動させる際に、ＬＥＤユニット３０が回転するのを阻止できる。
これにより、ＬＥＤユニット３０へ電力を供給する配線が容易になる。
【００２６】
さらに、器具本体２０のガイド凹部２４に、ＬＥＤユニット３０の相対的位置を示す目盛り２５を付したので、現場でＬＥＤユニット３０の位置を調整することにより、容易にグレアカット角度θを調整できる。
【００２７】
なお、本発明の照明器具は、前述した実施形態に限定されるものでなく、適宜な変形，改良等が可能である。
例えば、前述した実施形態においては、ＬＥＤユニット３０にガイド凸部３５を設け、器具本体２０にガイド凹部２４を設けた場合を例示したが、ＬＥＤユニット３０にガイド凹部を設け、器具本体２０にガイド凸部を設けることも可能である。
また、目盛り２５をガイド凹部２４の内部に設けた場合を例示したが、目盛り２５は、器具本体２０の内周面２０１であれば特に設置位置を限定しない。
また、ガイド凸部３５をＬＥＤユニット３０の厚さ方向の全高に亘って設けた場合を例示したが、図５に示すように、突起状のガイド凸部３５Ｂを設けることも可能である。
【符号の説明】
【００２８】
１０  照明器具
２０  器具本体
２０１  内周面
２３  ナット部材
２４  ガイド凹部
２５  目盛り
３０  ＬＥＤユニット
３０３  外周面
３２  ＬＥＤチップ
３３  ＬＥＤ基板
３５  ガイド凸部
３６  ネジ部材
【図１】
2012113927.tif 000003
【図２】
2012113927.tif 000004
【図３】
2012113927.tif 000005
【図４】
2012113927.tif 000006
【図５】
2012113927.tif 000007
【図６】
2012113927.tif 000008